(57)【特許請求の範囲】
【請求項１】
仕切りにより区画された２つの収納部を有し、一方の収納部は小径の球状粒子を多数収納するように、もう一方の収納部は大径の球状粒子を多数収納するようになっており、それらの収納部は収納した球状粒子が一つずつ通過できるように仕切りの両側にて先の方が細くなるとともに、内側に突き出る山形の凸部を介して、先端にそれぞれ球状粒子が一つだけ入るスペースの２つの取出し口が仕切りの両側に隣接して形成されてなる容器本体と、それぞれの球状粒子の取出し口を同時に開ける開位置とそれらの取出し口を同時に覆う閉位置との間で容器本体に対してスライド可能で、閉位置とした時に容器本体の凸部の真上となる位置に山形の膨出部が仕切りを介して隣接する２つの取出し口に跨がるように形成されてなる蓋体とからなり、閉位置では大小２種類の球状粒子がそれぞれの収納部内において凸部と膨出部との間の隙間を通って取出し口のところに移動可能で、開位置では大小２種類の球状粒子がそれぞれの収納部内において取出し口のところに移動できないようになっていることを特徴とする振出し容器。
【発明の詳細な説明】
【０００１】
【発明の属する技術分野】
本発明は、菓子類やその他の粒状物を収納し、これを小出しできるようにした振出し容器の技術分野に属するものである。
【０００２】
【従来の技術】
従来、この種の振出し容器としては、片手で把持できる程度のサイズ、すなわち携帯可能なサイズをしたプラスチック製容器であって、中に粒状の菓子類を収納したものが多く出回っている。そして、通常これらの容器は、指先やもう一方の手で容器の一部をスライドするか、或いは回転することで取出し口を形成し、その取出し口を下向きにして手のひらで受けるようにし、中に収納されている粒子をそこから振り出すようになっている。
【０００３】
【発明が解決しようとする課題】
上記した従来の振出し容器は、形成した取出し口を下側にして中身を振り出そうとすると、その取出し口から中の粒子が次々と出てしまう。特に、形が球状をした粒子についてはその傾向が著しい。そして、粒子が必要以上に出ると、容器の中に戻したりするのが面倒である。このような事態を招かないようにするには、手のひらで受けながら注意深く小刻みに振るようにするが、所定の数だけ取り出すようにするのは困難である。
【０００４】
本発明は、上記のような事情に鑑みてなされたものであり、その目的とするところは、所定数の球状粒子だけを取り出すことができ、しかも、大小２種類の球状粒子を同時に取り出すことができるようにした振出し容器を提供することにある。
【０００５】
【課題を解決するための手段】
上記の目的を達成するため、本発明の振出し容器は、仕切りにより区画された２つの収納部を有し、一方の収納部は小径の球状粒子を多数収納するように、もう一方の収納部は大径の球状粒子を多数収納するようになっており、それらの収納部は収納した球状粒子が一つずつ通過できるように仕切りの両側にて先の方が細くなるとともに、内側に突き出る山形の凸部を介して、先端にそれぞれ球状粒子が一つだけ入るスペースの２つの取出し口が仕切りの両側に隣接して形成されてなる容器本体と、それぞれの球状粒子の取出し口を同時に開ける開位置とそれらの取出し口を同時に覆う閉位置との間で容器本体に対してスライド可能で、閉位置とした時に容器本体の凸部の真上となる位置に山形の膨出部が仕切りを介して隣接する２つの取出し口に跨がるように形成されてなる蓋体とからなり、閉位置では大小２種類の球状粒子がそれぞれの収納部内において凸部と膨出部との間の隙間を通って取出し口のところに移動可能で、開位置では大小２種類の球状粒子がそれぞれの収納部内において取出し口のところに移動できないようになっていることを特徴とする。
【０００８】
【発明の実施の形態】
以下、図面を参照して本発明の実施形態を説明する。
【０００９】
図１は本発明に係る振出し容器を閉じた状態で示す斜視図、図２は図１の振出し容器を開けた状態で示す斜視図、図３は容器内部の状態を閉じた状態と開けた状態で示す断面図である。この振出し容器は、中にサイズの異なる２種類の球状粒子Ａ，Ｂを入れるタイプで、容器本体１０と蓋体２０はいずれもプラスチックの射出成形品からなっており、手で把持できる形態サイズに設計されている。また、この例では蓋体２０が透明プラスチックで中が見えるようになっている。
【００１０】
容器本体１０は、中央を走る仕切り１１により区画された２つの収納部１２，１３を有している。一方の収納部１２には直径５ｍｍの球状粒子Ａが２０個収納され、もう一方の収納部１３には直径６ｍｍの球状粒子Ｂが２０個収納されるようになっている。そして、各収納部１２，１３は先の方が細くなっており、内側に突き出る山形の凸部１４を介して、先端に球状粒子Ａ，Ｂが一つだけ入るスペースがあり、ここが取出し口１５，１６となるものである。
【００１１】
蓋体２０は、天面部２１とその両サイドに側面部２２を備え、さらに天面部２１と両側面部２２とを繋ぐ後面部２３を備えた形状で、容器本体１０の収納部１２，１３を覆うようにして容器本体１０の上に被せられる。そして、両側面部２２の下端には内向きに曲げ部が突設してあり、この部分が容器本体１０の底面に嵌合することで、容器本体１０に対して前後にスライド可能になっている。さらに、蓋体２０の天面部２１の裏側には、図示のような突起２４が形成してあり、この突起２４が容器本体１０の後壁部１７に当接することで、図２に示すように、収納部１２，１３の先端の取出し口１５，１６を開ける開位置となる。また、蓋体２０の後面部２３が容器本体１０の後壁部１７に当接することで図１に示す閉位置となる。
【００１２】
蓋体２０には、その天面部２１に山形の膨出部２５が形成されている。すなわち、図３（ａ）に示すように、蓋体２０を閉位置とした時に容器本体１０の凸部１４の真上となる位置に形成されている。そして、この閉位置では凸部１４と膨出部２５との間に球状粒子Ａ，Ｂが通過可能な隙間ができ、取出し口１５，１６のところに球状粒子Ａ，Ｂが移動可能になっており、蓋体２０を閉位置とした時には、図３（ｂ）に示すように取出し口１５，１６のところに球状粒子Ａ，Ｂが移動できないようになっている。
【００１３】
上記の構成からなる振出し容器は、蓋体２０をスライドして開けると、２つ目以降の球状粒子は通路が狭くなるので、取出し口１５，１６のところに移動できないので出てこない。すなわち、蓋体２０をスライドさせて球状粒子Ａ，Ｂを１粒ずつ２粒だけ取り出すことができる。
【００１４】
図４は本発明に係る別の振出し容器を閉じた状態で示す斜視図、図５は図４の振出し容器を開けた状態で示す斜視図であり、この例の振出し容器では全体形状を先細状とし、先端に取出し口１５，１６を設けるようにデザインしてある。
【００１５】
【発明の効果】
以上説明したように、本発明の振出し容器は、仕切りにより区画された２つの収納部を有し、一方の収納部は小径の球状粒子を多数収納するように、もう一方の収納部は大径の球状粒子を多数収納するようになっており、それらの収納部は収納した球状粒子が一つずつ通過できるように仕切りの両側にて先の方が細くなるとともに、内側に突き出る山形の凸部を介して、先端にそれぞれ球状粒子が一つだけ入るスペースの２つの取出し口が仕切りの両側に隣接して形成されてなる容器本体と、それぞれの球状粒子の取出し口を同時に開ける開位置とそれらの取出し口を同時に覆う閉位置との間で容器本体に対してスライド可能で、閉位置とした時に容器本体の凸部の真上となる位置に山形の膨出部が仕切りを介して隣接する２つの取出し口に跨がるように形成されてなる蓋体とからなり、閉位置では大小２種類の球状粒子がそれぞれの収納部内において凸部と膨出部との間の隙間を通って取出し口のところに移動可能で、開位置では大小２種類の球状粒子がそれぞれの収納部内において取出し口のところに移動できないようになっている構成としたので、取出し時に際して蓋体をスライドして開位置とすることにより、大小２種類の球状粒子がそれぞれの取出し口に一つずつ位置し、それ以外の球状粒子は取出し口に移動できないことから、大小２種類の球状粒子を一回の取出し操作で一つずつ正確に取り出すことができる。
【図面の簡単な説明】
【図１】本発明に係る振出し容器を閉じた状態で示す斜視図である。
【図２】図１の振出し容器を開けた状態で示す斜視図である。
【図３】容器内部の状態を閉じた状態と開けた状態で示す断面図である。
【図４】本発明に係る別の振出し容器を閉じた状態で示す斜視図である。
【図５】図４の振出し容器を開けた状態で示す斜視図である。
【符号の説明】
１０  容器本体
１１  仕切り
１２，１３  収納部
１４  凸部
１５，１６  取出し口
１７  後壁部
２０  蓋体
２１  天面部
２２  側面部
２３  後面部
２４  突起
２５  膨出部
【図１】
0004641080.tif 000002
【図２】
0004641080.tif 000003
【図３】
0004641080.tif 000004
【図４】
0004641080.tif 000005
【図５】
0004641080.tif 000006